(57)【特許請求の範囲】
【請求項１】
テレビジョン放送の電子番組表を作成する電子番組表作成システムであって、
電子番組表を作成するのに必要な番組情報が記憶される番組情報記憶手段と、
前記番組情報記憶手段に保存された番組情報が更新されたことを検出する番組情報更新検出手段と、
電子番組表の表示内容を更新する番組表内容更新手段と、
電子番組表の操作が行われた時刻を記憶する番組表操作時刻記憶手段と、
現在の時刻を取得する現在時刻取得手段とを備え、
ユーザ操作により表示中の電子番組表の表示内容を更新する必要がある際に、前記現在時刻取得手段により取得される現在時刻と前記番組表操作時刻記憶手段に記憶された時刻とを比較し、電子番組表が操作された最近の時刻から一定時間が経過している場合に限って、電子番組表の表示内容を更新することを特徴とする電子番組表作成システム。
【請求項２】
請求項１記載の電子番組表作成システムであって、前記電子番組表の表示内容を更新するための判定に用いる前記一定時間は、ユーザ操作によって設定可能であることを特徴とする電子番組表作成システム。
【請求項３】
請求項１記載の電子番組表作成システムであって、ユーザ操作を通じ、ユーザ操作を電子番組表の更新に優先する機能が選択入力された場合には前記一定時間を第１の値に設定し、電子番組表の更新をユーザ操作に優先する機能が選択入力された場合には前記一定時間を前記第１の値より小さい第２の値に設定する手段を有することを特徴とする電子番組表作成システム。
【請求項４】
テレビジョン放送の電子番組表を表示する電子番組表作成方法であって、
電子番組表の操作が行われた時刻を番組表操作時刻記憶手段に記憶するステップと、
番組情報更新検出手段により番組情報が更新されたことを検出するステップと、
ユーザ操作による電子番組表の表示中に番組情報が更新された際に、現在時刻取得手段により現在時刻を取得し、前記番組表操作時刻記憶手段に記憶された最近の時刻とを比較して、電子番組表が操作された時刻から一定時間が経過したかどうかを判断するステップと、
前記ステップの判断結果に基づいて、電子番組表が操作された時刻から一定時間が経過している場合に限って、電子番組表の表示内容を更新するステップと、
を含むことを特徴とする電子番組表作成方法。
【請求項５】
テレビジョン放送の電子番組表を表示する電子番組表作成制御プログラムであって、
電子番組表の操作が行われた時刻を、電子番組表作成システムの番組表操作時刻記憶手段に記憶するステップと、
前記電子番組表作成システムの番組情報更新検出手段により番組情報が更新されたことを検出するステップと、
ユーザ操作による電子番組表の表示中に番組情報が更新された際に、前記電子番組表作成システムの現在時刻取得手段により現在時刻を取得し、前記番組表操作時刻記憶手段に記憶された時刻とを比較して、電子番組表が操作された最近の時刻から一定時間が経過したかどうかを判断するステップと、
電子番組表が操作された最近の時刻から一定時間が経過している場合に、電子番組表の表示内容を更新するステップと、
をマイクロプロセッサにて実行させる電子番組表作成制御プログラム。
【請求項６】
請求項５に記載の電子番組表作成制御プログラムを記録したコンピュータ読取可能な記
録媒体。
【発明の詳細な説明】
【技術分野】
【０００１】
本発明は、テレビジョン放送受信装置において、利用者に番組情報を提供するための電子番組表を作成する電子番組表作成装置、電子番組表作成方法、電子番組表作成制御プログラム及び記録媒体に関するものである。
【背景技術】
【０００２】
近年の情報通信技術のめざましい進展は、産業界のみならず、身近な生活環境にも大きな影響を及ぼしている。インターネットなどの通信分野における急速なデジタル化は言うまでもなく、放送の分野においても、情報源として我々の生活に最も密着していると言ってもよいテレビジョン放送が、デジタル化により大きく変化しようとしている。
【０００３】
デジタル放送により新たにもたらされる利益・サービスはさまざまであるが、中でも利用者の利便性に最も関係が深いサービスとして、電子番組表（ＥＰＧ；Electronic Program Guide）が挙げられる。電子番組表は、現在新聞などで見られるテレビジョン放送の番組欄のように、各局の番組情報を電子的に一覧表示し、テレビジョン放送受信装置に表示されるものである。一般的に、電子番組表は、テレビジョン放送受信装置において、放送局から映像情報や音声情報とともに送信される番組関連情報に基づいて作成される。この電子番組表を利用することにより、利用者は簡単に見たい番組を選択したり、視聴予約や録画予約を行ったりすることができる。
【０００４】
デジタル放送では、従来のアナログテレビジョン放送に比べて、番組に関する情報量が膨大であるため、必要な情報を誰でも簡単な操作で入手でき、しかも、膨大な情報を扱っても操作時の反応が速いなど、利用者にとって快適に操作を行うことができる番組表を提供することが望まれている。
【０００５】
例えば、特許文献１には番組情報が変更された場合、これを受信したときにその変更内容を画面に表示するための番組情報更新部において、最新の番組情報と差分情報とに基づいて、電子番組表を画面に表示するという電子番組表の表示方法が開示されている。
【特許文献１】特開２００１−２３０９８２号公報
【発明の開示】
【発明が解決しようとする課題】
【０００６】
しかしながら、上記特許文献１の表示方法では、例えば電子番組表上のカーソルを移動するなど、利用者の操作が行われた際に電子番組表の更新が実行される場合、電子番組表の更新による画面更新処理が完了するまで、連続するカーソル移動など、利用者による操作が一時的に停止してしまうという問題を生じる。具体的には、特許文献１の表示方法では、電子番組表を更新するかしないかを利用者が設定できるようにしているが、利用者による操作のタイミングは電子番組表の更新を行うかどうかの判断には用いていない。
【０００７】
このため、利用者の操作が行われている最中であっても、電子番組表の表示が更新される場合がある。この場合、利用者がリモコン等を用いて電子番組表上のカーソルを連続で移動しているときに電子番組表の表示更新処理が発生すると、画面に対する描画処理が完了するまでの間、利用者によるカーソル移動が一時的に停止したように見えてしまう。特に、番組表の表示処理に用いる画像処理プロセッサの性能があまり高くない場合、電子番組表の表示更新処理に時間がかかることによって、上記の例ではカーソル移動が止っているように見える時間が長くなり、利用者にとっては操作を妨げられると感じられる可能性が高くなる。
【０００８】
本発明は、上記の問題点に鑑みてなされたものであり、その目的は、利用者の操作タイミングにかかわらず生じる電子番組表の更新処理を制御することによって、快適に操作が可能な電子番組表の作成装置を提供することにある。
【課題を解決するための手段】
【０００９】
本発明に係る電子番組表作成装置は、テレビジョン放送受信機において電子番組表を作成する電子番組表作成装置であって、電子番組表を作成するのに必要な番組情報が記憶される番組情報記憶手段と、前記番組情報記憶手段に保存された番組情報が更新されたことを検出する番組情報更新検出手段と、電子番組表の表示内容を更新する番組表内容更新手段と、電子番組表の操作が行われた時刻を記憶する番組表操作時刻記憶手段と、現在の時刻を取得する現在時刻取得手段とを備え、電子番組表の内容を更新する必要がある際に、前記現在時刻取得手段により取得される現在時刻と前記番組表操作時刻記憶手段に記憶された時刻とを比較し、電子番組表が操作された最近の時刻から一定時間が経過している場合に限って、電子番組表の内容を更新することを特徴とする。
【００１０】
図１は、上記の電子番組表作成装置を実施するために必要な装置構成を簡略的に示すブロック図である。この構成によれば、利用者によって電子番組表が操作された時刻を記憶し、電子番組表の表示更新処理が必要な場合に、現在の時刻と電子番組表が操作された時刻とを比較して、これらの時刻の差分の時間を計算することが可能となる。利用者が操作を行った時刻から十分な時間が経過していることは、上記の差分時間が一定時間以上であるかどうかで判定することができる。
【００１１】
これにより、上記差分時間が一定時間以上である場合には電子番組表の表示更新処理を行い、一方で、上記差分時間が一定時間より小さい場合は電子番組表の表示更新処理を行わないという処理を行うことができる。つまり、電子番組表を更新する必要があるとき、利用者が操作を行った時刻から十分な時間が経過している場合は、利用者が電子番組表上で連続した操作を行っていないとみなし、電子番組表を更新し、利用者が操作を行った時刻から十分な時間が経過してない場合は、電子番組表の更新処理を行わないという処理が可能となる。
【００１２】
この結果、利用者が連続的な操作を行っている間は電子番組表の表示更新処理が実行されない。つまり、電子番組表の表示更新処理によって、利用者の操作が妨げられることを防ぐことが可能となり、利用者にとって快適な操作を実現することができる。以上のことから、上記構成の電子番組表作成装置によれば、電子番組表の操作において、利用者の操作を電子番組表の更新処理によって妨げられることが無い、快適な操作を提供することができる。
【００１３】
なお、電子番組表の内容を更新するための判定に用いる前記一定時間は、ユーザ操作によって設定可能である。ここで、電子番組表の更新処理を行うか否かを判定するための、利用者の操作時刻と現在時刻の差分時間と比較する時間の長さは、予め固定した値でもよいが、ＧＵＩ画面などを用いて利用者が設定できるようにしてもよい。具体的には、前者の場合はメモリ上に一定の時間の長さを指定するための領域に、予め数値を記憶しておく。後者の場合は、ＧＵＩ画面として時間の長さを選択するためのメニュー画面を表示し、テレビジョン放送受信機に標準で搭載されているリモコンの操作子（数字キー、十字キー、決定ボタン等）で上記メニュー画面で表示された表示形態情報を選択する。選択した結果はメモリ上に記憶される。いずれの場合も、電子番組表の更新処理を行うときに、利用者の操作時間からの経過時間と比較を行う際に、メモリ上に記憶された値が用いられる。
【００１４】
本発明に係る電子番組表作成方法は、テレビジョン放送受信機において電子番組表を表示する電子番組表作成方法であって、電子番組表の操作が行われた時刻を番組表操作時刻記憶手段に記憶するステップと、番組情報更新検出手段により番組情報が更新されたことを検出するステップと、番組情報が更新された際に、現在時刻取得手段により現在時刻を取得し、前記番組表操作時刻記憶手段に記憶された最近の時刻とを比較して、電子番組表が操作された時刻から一定時間が経過したかどうかを判断するステップと、電子番組表が操作された時刻から一定時間が経過している場合に限って、電子番組表の表示内容を更新するステップと、を含むことを特徴とする。
【００１５】
この場合、利用者によって電子番組表が操作された時刻から一定時間が経過している場合のみ、電子番組表の更新処理が実行されるようになるため、利用者が連続して電子番組表の操作を行っているようなときに、電子番組表の更新処理によって、利用者の操作が一時的に妨げられることがなくなる。つまり、利用者による電子番組表の操作時のストレスが無くなり、操作性の向上を図ることが可能となる。
【００１６】
上記の電子番組表作成方法をコンピュータによって実現してもよい。すなわち、テレビジョン放送受信機において電子番組表を表示する電子番組表作成制御プログラムであって、電子番組表の操作が行われた時刻を記憶番組表操作時刻記憶手段に記憶する手順と、番組情報更新検出手段により、番組情報が更新されたことを検出する手順と、番組情報が更新された際に、現在時刻取得手段により現在時刻を取得し、番組表操作時刻記憶手段に記憶された時刻とを比較して電子番組表が操作された最近の時刻から一定時間が経過したかどうかを判断する手順と、電子番組表が操作された時刻から一定時間が経過している場合に限って、電子番組表の表示内容を更新する手順と、を実行させる。
【００１７】
この場合、汎用のコンピュータにより簡単に、テレビジョン放送受信機の電子番組表の作成制御を行うことが可能となる。
【００１８】
そして、上記のような電子番組表作成制御プログラムは、コンピュータ読取可能な記録媒体に記録するようにすれば、テレビジョン放送受信機においてコンピュータを備えているだけで、簡単に、操作性のよい電子番組表作成装置を実現することが可能となる。
【発明の効果】
【００１９】
本発明によれば、利用者が電子番組表の操作を連続して行なっているときは、電子番組表の更新処理が実行されないので、電子番組表の更新処理によって利用者の操作が一時的に妨げられることがない。したがって、利用者による電子番組表の操作時のストレスが無くなり、操作性の向上を図ることが可能となる。
【発明を実施するための最良の形態】
【００２０】
以下、本発明の実施の形態について、図面を参照して説明する。
本実施の形態では、本発明の電子番組表（ＥＰＧ）作成装置をデジタルテレビジョン放送受信装置（以下、単にテレビジョン放送受信機と称する）に適用した例について説明する。
【００２１】
図２は、本実施の形態に係るテレビジョン放送受信機の概略構成を示すブロック図である。図２に示すように、本実施の形態に係るテレビジョン放送受信機１は、デジタル放送用チューナ・復調部２と、ＴＳ（トランスポートストリーム）デコーダ３と、ＡＶ（オーディオビジュアル）デコーダ４と、音声出力部５と、画像重畳部６と、映像出力部７と、外部インターフェース８と、ＣＰＵ１０１と、メモリ１０２と、操作部１０３と、グラフィックス生成部１０４と、を備えた構成となっている。なお、図２では、ＣＰＵ１０１は、テレビジョン放送受信機１を統括制御するものである。また、ＣＰＵ１０１、メモリ１０２、操作部１０３、グラフィックス生成部１０４により電子番組表作成装置１００が構成され、画像重畳部６、映像出力部７により表示部２００が構成されている。電子番組表作成装置１００の詳細については後述する。
【００２２】
ここではまず、デジタル放送信号の流れとともに、テレビジョン放送受信機１の各構成要素について説明する。デジタル放送用チューナ・復調部２は、アンテナ（図示せず）を通じてデジタル放送の信号が供給されると、受信信号の選局を行った後、その信号形態に従った復調および誤り訂正を行い、多重化デジタルデータを生成し、この多重化デジタルデータをＴＳデコーダ３に出力する。
【００２３】
ＴＳデコーダ３は、デジタル放送用チューナ・復調部２より出力された多重化デジタルデータをデコードしてＴＳを抽出し、目的別のＴＳパケットに分離して後段のＡＶデコーダ４およびＣＰＵ１０１に出力する。ここで、ＴＳとは固定長のＴＳパケットが連続した信号列のことであり、各ＴＳパケットは、映像・音声信号以外に番組情報や選局に必要な情報などのデータ信号を含むことがある。ここでは、抽出したＴＳを、ＡＶデコーダ４への出力用の映像・音声信号を含むＴＳパケットと、ＣＰＵ１０１への出力用の放送情報関連のデータ信号を含むＴＳパケットとに分離する。
【００２４】
ＡＶデコーダ４は、ＴＳデコーダ３からのＴＳパケットをデコードし、音声信号および映像信号を生成し、音声信号であれば音声出力部５へ、映像信号であれば表示部２００を構成する画像重畳部６へそれぞれ出力する。
【００２５】
一方、ＣＰＵ１０１は、ＴＳデコーダ３から受け取ったＴＳパケットをメモリ１０２に保存する。このときに、メモリ１０２には電子番組表で表示される番組についての情報が番組情報１０２ａとして保存される。保存された番組情報１０２ａは、後段のグラフィックス生成部１０４によりＯＳＤ（On Screen Display）表示される情報として生成される。
【００２６】
グラフィックス生成部１０４は、画像重畳部６へ出力するためのＯＳＤ情報を生成する。このＯＳＤ情報は、電子番組表（ＥＰＧ）やユーザがテレビジョン放送受信機１を操作するためのメニュー画面（ＧＵＩ）などである。
【００２７】
画像重畳部６は、ＡＶデコーダ４にてデコードされた映像信号と、電子番組表やＧＵＩ画像などのＯＳＤ情報からなる画像とを重ね合わせ、表示部２００を構成する映像出力部７に送る。映像出力部７としては、ＬＣＤ（液晶ディスプレイ）、ＰＤＰ（プラズマディスプレイパネル）、またはＣＲＴ（cathode-ray tube）ディスプレイなどの表示装置が用いられる。
【００２８】
また、ＣＰＵ１０１は、操作部１０３からの信号を処理し、その動作を各部へ指示をするようになっている。操作部１０３は、テレビジョン放送受信機１を操作するための信号を入力する入力手段であり、テレビジョン放送受信機１自体に設けられた第１操作部１０３ａと、装置外部でリモート操作するためのリモートコントローラ（リモコン）等を用いる第２操作部１０３ｂとで構成されている。なお、第２操作部１０３ｂとしては、上述のリモコンの他に、他の有線の入力機器（キーボードやマウスなど）であってもよい。
【００２９】
さらに、ＣＰＵ１０１は、外部インターフェース８を介して、外部との通信の処理を行ったりする。例えば、メモリ１０２に保存される番組情報１０２ａは、外部記憶装置やインターネットなどを通じて取得することも可能である。
【００３０】
続いて、図１を用いて、電子番組表作成装置１００についてより詳細に説明を行う。電子番組表作成装置１００は、図１に示すように、ＣＰＵ１０１と、メモリ１０２と、第２操作部１０３ｂと、グラフィックス生成部１０４とを備え、生成した電子番組表を表示部２００に表示させるようになっている。
【００３１】
ＣＰＵ１０１は、テレビジョン放送受信機１を統括制御する手段であり、電子番組表を作成して表示するための各種制御を行うＥＰＧ制御部１０１ａと、電子番組表の表示のための番組情報の更新を検出し、電子番組表の更新を行うＥＰＧ更新制御部１０１ｂとを含んでいる。
【００３２】
メモリ１０２は、番組情報１０２ａの他に、さらに、現在の時刻を保持するための現在時刻保持部１０５と、利用者が第２操作部１０３ｂによって操作を行った時刻を保持するための操作時刻保持部１０６とを含んでいる。
【００３３】
ここで、メモリ１０２は、電子番組表を作成するのに必要な番組情報１０２ａが記憶される番組情報記憶手段に相当する。現在時刻保持部１０５は、現在の時刻を取得する現在時刻取得手段に相当する。操作時刻保持部１０６は、電子番組表の操作が行われた時刻が記憶される番組表操作時刻記憶手段に相当する。ＥＰＧ更新制御部１０１ｂは、番組情報記憶手段に保存された番組情報が更新されたことを検出する番組情報更新検出手段、及び、電子番組表の表示内容を更新する番組表内容更新手段に相当する。
【００３４】
第２操作部１０３ｂとしては、上述のように、テレビジョン放送受信機１の外部から操作するためのリモコン送受信手段を想定する。すなわち、第２操作部１０３ｂは、送信側（リモコン側）において、少なくともカーソルを動かすための十字キー、指示を確定させるための決定キー、電子番組表をワンプッシュで表示させるための番組表示キーを有し、受信側（受光部側）において、リモコン側の各キー操作による信号（例えば赤外線による信号）を受光する受光手段（図示せず）を有している。
【００３５】
受光手段によって受光された信号は、ＣＰＵ１０１のＥＰＧ制御部１０１ａに送られる。例えば、第２操作部１０３ｂにおいて、上記のような操作子（各キー）は、表示部２００に表示されるＧＵＩ画像に連動している。これにより、利用者は、第２操作部１０３ｂおよびＧＵＩ画像を用いてテレビジョン放送受信機１のあらゆる操作を簡単に行うことが可能となっている。このＧＵＩ画像として代表的な画像は、電子番組表である。そして、このＧＵＩ画像は、グラフィックス生成部１０４において生成される。
【００３６】
グラフィックス生成部１０４は、メモリ１０２に記憶された電子番組表に関する情報である番組情報１０２ａに基づいて、表示部２００に表示される各種操作用のＧＵＩ画像を生成するようになっている。
【００３７】
なお、本実施の形態では、ＧＵＩ画像として、例えば図３に示すような電子番組表を使用する。図３に示す電子番組表は、時間帯３０３と、チャンネル３０２と、各チャンネル３０２の時間帯３０３に存在する番組３０４と、番組３０４のうち利用者が選択していることを示すカーソル３０１によって構成される。
【００３８】
上記構成の電子番組表作成装置による電子番組表作成の処理の流れについて、図５及び図６に示すフローチャートを参照しながら以下に説明する。
【００３９】
なお、本実施例では利用者による操作が行われて２秒間は電子番組表の表示更新処理を行わないこととする。
【００４０】
本発明では、大きく分けて２つの処理がある。一つは、第２操作部１０３ｂによる操作が行われた時刻を操作時刻保持部１０６に記憶する処理であり、もう一つは、ＥＰＧ更新制御部１０１ｂにおいて番組情報の更新が検出されたときに、操作時刻保持部１０６に記憶された時刻と現在時刻を比較して電子番組表の更新処理を行うかどうかを判断する処理である。
【００４１】
始めに、操作が行われた時刻を記憶する処理の流れについて図５に示すフローチャートを参照しながら以下に説明する。まず、ユーザにより第２操作部１０３ｂが操作されると、これがＣＰＵ１０１により検出される（ステップＳ４１）。次に、ＥＰＧ制御部１０１ａは、電子番組表に対するリモコンキー操作であるかどうかを判定する（ステップＳ４２）。電子番組表に対するリモコンキー操作ではない場合、ステップＳ４４に進む。電子番組表に対するリモコンキー操作である場合、ステップＳ４３に進む。ステップＳ４３では、現在時刻を操作時刻保持部１０６に記録する。ステップＳ４４では、利用者によって操作されたリモコンのキーに対する処理を行う。例えば、電子番組表の表示中に、十字キーの右が押された場合に、カーソル３０１を一つ右の番組へと移動する。
【００４２】
続いて、ＥＰＧ更新制御部１０１ｂにおいて番組情報の更新が検出されたときに、操作時刻保持部１０６に記憶された時刻と現在時刻を比較して電子番組表の更新処理を行うかどうかを判断する処理について、図６に示すフローチャートを参照しながら以下に説明する。
【００４３】
まず、ＥＰＧ更新制御部１０１ｂにおいて、番組情報１０２ａの更新が検出される（ステップＳ５１）。番組情報１０２ａは、初めて番組情報を取得して、これを番組情報１０２ａに格納したとき、および放送による番組情報が変更され、これを番組情報１０２ａに格納したときに更新される。
【００４４】
次に、ＥＰＧ制御部１０１ａは、電子番組表を表示中であるかどうかを判定する（ステップＳ５２）。電子番組表を表示中ではない場合は、このまま処理を終了する。電子番組表を表示中である場合は、ステップＳ５３に進む。ステップＳ５３では、操作時刻保持部１０６に記録されている時刻と現在時刻との差分を計算し、これが２秒より大きいか小さいかを判定することで、利用者による電子番組表の操作から２秒以上が経過しているかどうかを判定する。
【００４５】
利用者による電子番組表の操作から２秒以上が経過してない場合は、このまま処理を終了する。利用者による電子番組表の操作から２秒以上が経過している場合は、ステップＳ５４に進む。ステップＳ５４では、ＥＰＧ更新制御部１０１ｂによって、表示部２００に表示されている電子番組表の表示を新しい内容に更新する。
【００４６】
本実施の形態では、利用者による操作が行われて２秒間は電子番組表の表示更新処理を行わないこととしているが、これに限定されるものではなく、利用者が任意の時間を設定するようにしてもよい。
【００４７】
この場合、既存のリモコンと、メニュー画面の変更とにより実現するようにすればよい。具体的には、表示部２００の表示画面（図示せず）と、第２操作部１０３ｂとを表示形態情報に含まれる情報を設定する表示形態情報設定手段として機能させ、経過時間の判定に用いられる時間として、利用者が設定した値が記憶されるようにすればよい。
【００４８】
電子番組表の操作性を利用者が設定するメニュー画面の一例を図４に示す。メニュー画面４００においては、電子番組表の操作性を設定するために、「操作優先」ボタン４０１と、「更新優先」ボタン４０２と、「マニュアル設定」ボタン４０３の３つのボタンが表示されている。これら３つのボタンは、第２操作部１０３ｂのカーソル操作により選択され、決定ボタンにより決定される。
【００４９】
ここで、「操作優先」ボタン４０１が選択され、決定されれば、利用者の操作時刻から電子番組表の更新処理が行われるまでの時間が、例えば予め定められた値である３秒等に設定され、メモリ１０２に記憶される。
【００５０】
一方、「更新優先」ボタン４０２が選択され、決定されれば、同様に、利用者の操作時刻から電子番組表の更新処理が行われるまでの時間が、例えば予め定められた値である０．５秒等に設定され、メモリ１０２に記憶される。
【００５１】
また、「マニュアル設定」ボタン４０３が選択された状態で、第２操作部１０３ｂの数字キー操作により利用者の任意の数値が入力され、この時間が利用者の操作時刻から電子番組表の更新処理が行われるまでの時間としてメモリ１０２に記憶される。
【００５２】
以上のように、上記構成の電子番組表作成装置によれば、電子番組表の操作において、利用者の操作を電子番組表の更新処理によって妨げることを無くし、快適な操作を提供することができる。
【００５３】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５４】
なお、上記実施形態の電子番組表作成装置の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の電子番組表作成装置の各種機能および各種処理を実現することができる。また、上記プログラムをリムーバブルな記録媒体に記録することにより、任意のコンピュータ上で上記の各種機能および各種処理を実現することができる。
【００５５】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００５６】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００５７】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００５８】
また、インターネットを含む通信ネットワークを接続可能なシステム構成であれば、通信ネットワークからプログラムをダウンロードするように流動的にプログラムを担持する記録媒体であることが好ましい。さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【００５９】
本発明によれば、利用者が電子番組表の操作を連続して行なっているときは電子番組表の更新処理が実行されないので、電子番組表の更新処理によって利用者の操作が一時的に妨げられることがなく、したがって、利用者による電子番組表の操作時のストレスが無くなり、操作性の向上を図ることが可能となるという効果を有し、テレビジョン放送受信機、テレビジョン放送が受信可能な携帯電話やＰＤＡ（Personal Digital Assistants)等の携帯端末装置に有用である。
【図面の簡単な説明】
【００６０】
【図１】本発明の実施形態に係る電子番組表作成装置の要部構成を示すブロック図
【図２】図１に示す電子番組表作成装置を備えたテレビジョン放送受信機の要部構成を示すブロック図
【図３】本実施例における電子番組表の一例を示す図
【図４】電子番組表の操作性を利用者が設定するメニュー画面の一例を示す図
【図５】操作が行われた時刻を記憶する処理の流れを示すフローチャート
【図６】利用者の操作時刻からの経過時間によって電子番組表の更新処理を行うかどうかを判断する処理の流れを示すフローチャート
【符号の説明】
【００６１】
１  テレビジョン放送受信機
２  デジタル放送用チューナ・復調部
３  ＴＳデコーダ
４  ＡＶデコーダ
５  音声出力部
６  画像重畳部
７  映像出力部
８  外部インターフェース
１００  電子番組表作成装置
１０１  ＣＰＵ
１０１ａ  ＥＰＧ制御部
１０１ｂ  ＥＰＧ更新制御部
１０２  メモリ
１０２ａ  番組情報
１０３  操作部
１０３ａ  第１操作部
１０３ｂ  第２操作部
１０４  グラフィックス生成部
１０５  現在時刻保持部
１０６  操作時刻保持部
２００  表示部
３００  電子番組表
３０１  電子番組表上のカーソル
３０２  電子番組表のチャンネル表示
３０３  電子番組表の時間帯表示 
３０４  電子番組表の番組表示
４００  メニュー画面電子番組表
４０１  操作優先ボタン
４０２  更新優先ボタン
４０３  マニュアル設定ボタン
【図１】
0004763369.tif 000002
【図２】
0004763369.tif 000003
【図３】
0004763369.tif 000004
【図４】
0004763369.tif 000005
【図５】
0004763369.tif 000006
【図６】
0004763369.tif 000007